(57)【要約】【課題】移動局の属性が非優先移動局と優先移動局との間で切り替わる場合、移動局が再認証処理を求めなくても移動局に対するサービスを切替ること。【解決手段】優先移動局としての属性と非優先移動局としての属性との間で切替え可能な移動局に対して無線通信を行なう基地局と、移動局と基地局との間の通信を制御するため移動局の属性情報を含む通信設定情報を管理する管理手段と、属性の切替えを許可するか否かを判定する判定手段とを含み、優先移動局に対して非優先移動局よりも優先的なサービスを提供する通信システムであって、判定手段による判定結果に基づいて、移動局の属性が切り替わる場合、管理手段は、移動局、基地局、及び判定手段の少なくとも何れか１つから受信した属性情報更新要求に応じて、通信設定情報中の属性情報を更新する。【選択図】  図１
2011223272.tif 000002
【特許請求の範囲】
【請求項１】
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、
前記優先移動局としての属性を有する移動局に対して前記非優先移動局としての属性を有する移動局よりも優先的なサービスを提供する通信システムであって、
前記判定手段による判定結果に基づいて、前記移動局の属性が、非優先移動局から優先移動局に切り替わる場合、又は、優先移動局から非優先移動局に切り替わる場合、前記管理手段は、前記移動局、前記基地局、及び前記判定手段の少なくとも何れか１つから受信した属性情報更新要求に応じて、前記通信設定情報中の前記属性情報を更新することを特徴とする通信システム。
【請求項２】
前記移動局の属性が変更された場合、前記管理手段は、前記判定手段が判定結果を送信するレイヤとは異なるレイヤを通じて、前記移動局、前記基地局、及び前記判定手段の少なくとも何れか１つから属性切替通知を受信することを特徴とする請求項１に記載の通信システム。
【請求項３】
前記判定手段は、前記移動局からの属性切替要求に応じて、前記属性の切り替えを許可するか否かを判定することを特徴とする請求項１又は２に記載の通信システム。
【請求項４】
前記基地局は、
前記移動局の属性情報を管理する属性情報管理手段と、
前記判定手段による判定結果を受けて、前記属性情報管理手段に管理された属性情報を更新した後、前記管理手段に対して前記属性情報更新要求を送信する送信手段と、
を含むことを特徴とする請求項１、２又は３に記載の通信システム。
【請求項５】
前記判定手段は、前記判定結果を前記基地局に送信する前に、前記属性情報更新要求を前記管理手段に送信することを特徴とする請求項１乃至４の何れか１項に記載の通信システム。
【請求項６】
前記管理手段は、前記基地局と接続されたコアネットワークの一部を構成するコアネットワークノードであり、
前記属性情報を更新した後、前記移動局が前記コアネットワークと接続中か否かを判定し、接続中であれば、前記移動局に前記属性情報の更新を通知することを特徴とする請求項１乃至５の何れか１項に記載の通信システム。
【請求項７】
前記管理手段は、３ＧＰＰ（Third Generation Partnership Project）で定義されるモビリティ管理エンティティ（ＭＭＥ：Mobility Management Entity）であることを特徴とする請求項１乃至６の何れか１項に記載の通信システム。
【請求項８】
優先移動局としての属性と非優先移動局としての属性との間で切り替え可能な移動局に対して無線通信を行ない、前記優先移動局としての属性を有する移動局に対して前記非優先移動局としての属性を有する移動局よりも優先的なサービスを提供する基地局であって、
前記移動局と前記基地局との間の通信を制御するため前記移動局の属性に関する属性情報を含む通信設定情報を管理する管理手段及び前記属性の切り替えを許可するか否かを判定する判定手段と通信可能であって、
前記判定手段による判定結果に基づいて、前記移動局の属性が、非優先移動局から優先移動局に切り替わる場合、又は、優先移動局から非優先移動局に切り替わる場合、前記管理手段に対して属性情報更新要求を送信することを特徴とする基地局。
【請求項９】
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムの制御方法であって、
前記判定手段による判定結果に基づいて、前記移動局の属性が、非優先移動局から優先移動局に切り替わる場合、又は、優先移動局から非優先移動局に切り替わる場合、前記管理手段が、前記移動局、前記基地局、及び前記判定手段の少なくとも何れか１つから属性情報更新要求を受信する受信ステップと、
受信した前記属性情報更新要求に応じて、前記管理手段が管理する前記通信設定情報中の前記属性情報を更新する更新ステップと、
を含むことを特徴とする通信システムの制御方法。
【請求項１０】
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムにおける前記管理手段の制御プログラムであって、
前記判定手段による判定結果に基づいて、前記移動局の属性が、非優先移動局から優先移動局に切り替わる場合、又は、優先移動局から非優先移動局に切り替わる場合、前記移動局、前記基地局、及び前記判定手段の少なくとも何れか１つから属性情報更新要求を受信するステップと、
前記管理手段が前記属性情報更新要求を受信した場合に前記通信設定情報中の前記属性情報を更新するステップと、
をコンピュータに実行させることを特徴とする制御プログラム。
【発明の詳細な説明】
【技術分野】
【０００１】
本発明は、異なる属性を有する複数の移動局に対して無線通信を行なう技術に関する。
【背景技術】
【０００２】
異なる属性を有する複数の移動局に対して無線通信を行なう技術が知られている。例えば、非特許文献１に示すように３ＧＰＰ（Third Generation Partnership Project）は、特定の登録された移動局（登録移動局）のみが接続できるＣＳＧ（Closed Subscriber Group）セルと移動局の制限なく接続できるＯｐｅｎセルとの中間的なセルとしてハイブリッド(Hybrid)セルを定義している。このハイブリッドセルには登録移動局と非登録移動局の双方が接続可能であり、それぞれに異なるサービスを提供することができる。
【先行技術文献】
【非特許文献】
【０００３】
【非特許文献１】3GPP TS22.220 v10.1.0 (2009-12)、"Service requirements for Home Node B (HNB) and Home eNode B (HeNB)"
【発明の概要】
【発明が解決しようとする課題】
【０００４】
しかしながら、上述したような異なる属性を有する複数の移動局に対して無線通信を行なう技術において、移動局の属性を切り替える際に、移動局の再認証処理が必要になるという問題が生じていた。
【０００５】
例えば、非登録移動局がハイブリッドセルに接続した場合、ハイブリッドセル内の移動局を管理するモビリティ管理エンティティは、予めハイブリッドセルを管理する事業者が決定した非登録移動局向けサービスに基づいた設定を、非登録移動局に対して行う。そして、非登録移動局が登録移動局に切り替わるためには、ＨｅＮＢ−ＯＡＭサーバに接続して、登録処理を行なう必要がある。
【０００６】
しかし、上述の技術では、移動局とＨｅＮＢ−ＯＡＭサーバとの間でやり取りされる登録処理に関する情報は、モビリティ管理エンティティに伝わらず、モビリティ管理エンティティは、非登録移動局が登録移動局に切り替わったことを知ることができない。その結果、移動局は、登録が完了しても、再度ネットワークから認証処理を受けなければ、登録移動局向けのサービスを受けることができないという問題が発生する。また同様に、登録移動局が登録を解除して非登録移動局に切り替わった場合でも、登録移動局向けのサービスを提供し続けてしまうという問題がある。
【０００７】
本発明の目的は、上述の課題を解決する技術を提供することにある。
【課題を解決するための手段】
【０００８】
上記目的を達成するため、本発明に係るシステムは、
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、
前記優先移動局としての属性を有する移動局に対して前記非優先移動局としての属性を有する移動局よりも優先的なサービスを提供する通信システムであって、
前記判定手段による判定結果に基づいて、前記移動局の属性が、非優先移動局から優先移動局に切り替わる場合、又は、優先移動局から非優先移動局に切り替わる場合、前記管理手段は、前記移動局、前記基地局、及び前記判定手段の少なくとも何れか１つから受信した属性情報更新要求に応じて、前記通信設定情報中の前記属性情報を更新することを特徴とする。
【０００９】
上記目的を達成するため、本発明に係る装置は、
優先移動局としての属性と非優先移動局としての属性との間で切り替え可能な移動局に対して無線通信を行ない、前記優先移動局としての属性を有する移動局に対して前記非優先移動局としての属性を有する移動局よりも優先的なサービスを提供する基地局であって、
前記移動局と前記基地局との間の通信を制御するため前記移動局の属性に関する属性情報を含む通信設定情報を管理する管理手段及び前記属性の切り替えを許可するか否かを判定する判定手段と通信可能であって、
前記判定手段による判定結果に基づいて、前記移動局の属性が、非優先移動局から優先移動局に切り替わる場合、又は、優先移動局から非優先移動局に切り替わる場合、前記管理手段に対して属性情報更新要求を送信することを特徴とする。
【００１０】
上記目的を達成するため、本発明に係る方法は、
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムの制御方法であって、
前記判定手段による判定結果に基づいて、前記移動局の属性が、非優先移動局から優先移動局に切り替わる場合、又は、優先移動局から非優先移動局に切り替わる場合、前記管理手段が、前記移動局、前記基地局、及び前記判定手段の少なくとも何れか１つから属性情報更新要求を受信する受信ステップと、
受信した前記属性情報更新要求に応じて、前記管理手段が管理する前記通信設定情報中の前記属性情報を更新する更新ステップと、
を含むことを特徴とする。
【００１１】
上記目的を達成するため、本発明に係るプログラムは、
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムにおける前記管理手段の制御プログラムであって、
前記判定手段による判定結果に基づいて、前記移動局の属性が、非優先移動局から優先移動局に切り替わる場合、又は、優先移動局から非優先移動局に切り替わる場合、前記移動局、前記基地局、及び前記判定手段の少なくとも何れか１つから属性情報更新要求を受信するステップと、
前記管理手段が前記属性情報更新要求を受信した場合に前記通信設定情報中の前記属性情報を更新するステップと、
をコンピュータに実行させることを特徴とする。
【発明の効果】
【００１２】
本発明によれば、移動局の属性が、非優先移動局から優先移動局に、又は、優先移動局から非優先移動局に切り替わる場合、移動局が再認証処理を求めなくても、移動局に対するサービスの切り替えを行なうことができる。
【図面の簡単な説明】
【００１３】
【図１】本発明の第１実施形態にかかる通信システムの構成を示す図である。
【図２】本発明の第２実施形態にかかる通信システムの構成を示す図である。
【図３】本発明の第２実施形態にかかるホーム基地局の構成を示すブロック図である。
【図４】本発明の第２実施形態にかかるホーム移動局の構成を示すブロック図である。
【図５】本発明の第２実施形態にかかるモビリティ管理エンティティの構成を示すブロック図である。
【図６】本発明の第２実施形態にかかる基地局管理装置の構成を示すブロック図である。
【図７】本発明の第２実施形態にかかる通信システムで行なわれる処理の流れを示すシーケンス図である。
【図８】本発明の第２実施形態にかかるモビリティ管理エンティティの動作を示すフローチャートである。
【図９】本発明の第２実施形態にかかるホーム基地局の動作を示すフローチャートである。
【図１０】本発明の第２実施形態にかかるホーム移動局の動作を示すフローチャートである。
【図１１】本発明の第２実施形態にかかる基地局管理装置の動作を示すフローチャートである。
【図１２】本発明の第３実施形態にかかる通信システムで行なわれる処理の流れを示すシーケンス図である。
【図１３】本発明の第３実施形態にかかるホーム基地局の動作を示すフローチャートである。
【図１４】本発明の第４実施形態にかかる通信システムで行なわれる処理の流れを示すシーケンス図である。
【図１５】本発明の第４実施形態にかかる基地局管理装置の動作を示すフローチャートである。
【図１６】本発明の第５実施形態にかかる通信システムで行なわれる処理の流れを示すシーケンス図である。
【図１７】本発明の第５実施形態にかかるモビリティ管理エンティティの動作を示すフローチャートである。
【図１８】本発明の第５実施形態にかかるホーム基地局の動作を示すフローチャートである。
【図１９】本発明の第６実施形態にかかる通信システムの構成を示す図である。
【発明を実施するための形態】
【００１４】
以下に、図面を参照して、本発明実施形態について例示的に詳しく説明する。ただし、以下実施形態に記載されている構成要素はあくまで例示であり、本発明の技術範囲をそれらのみに限定する趣旨のものではない。
【００１５】
(第１実施形態)
図１は、本発明の第１実施形態としての通信システム１０００の構成を示す図である。通信システム１０００は、基地局１００１と判定部１００２と管理部１００３とを含む。基地局１００１は、優先移動局としての属性と非優先移動局としての属性との間で切り替え可能な移動局２０００に対して無線通信を行なう。また、管理部１００３は、移動局２０００と基地局１００１との間の通信を制御するため移動局２０００の属性に関する属性情報を含む通信設定情報を管理する。更に、判定部１００２は、移動局２０００の属性の切り替えを許可するか否かを判定する。通信システム１０００は、優先移動局としての属性を有する移動局に対して非優先移動局としての属性を有する移動局よりも優先的なサービスを提供する
【００１６】
判定部１００２による判定結果に基づいて、移動局２０００の属性が、非優先移動局から優先移動局に、又は、優先移動局から非優先移動局に切り替わる場合に、管理部１００３は、移動局２０００、基地局１００１、及び判定部１００２の少なくとも何れか１つから受信した属性情報更新要求に応じて、通信設定情報を更新する。
【００１７】
このように構成することにより、移動局の属性が、非優先移動局から優先移動局に、又は、優先移動局から非優先移動局に切り替わる場合、移動局が再認証処理を求めなくても、管理部が管理している通信設定情報を更新することができる。これにより、移動局の再認証処理を待たずに、移動局に対するサービスの切り替えを行なうことができる。
【００１８】
（第２実施形態）
図２は、本発明の第２実施形態としての通信システム２００のネットワーク構成例を示す図である。図２は、一例として、本実施形態にかかる移動通信システムが３ＧＰＰで定義されたＥＰＳ（Evolved Packet System）である場合について示している。
【００１９】
３ＧＰＰは、利用者宅内、オフィス内などに設置可能な小型基地局をＨＮＢ（Home Node B）及びＨｅＮＢ（Home evolved Node B）と定義している。ＨＮＢはＵＴＲＡＮ（UMTS(Universal Mobile Telecommunications System) Terrestrial Radio Access Network）向けの小型基地局であり、ＨｅＮＢはＬＴＥ（Long Term Evolution）／Ｅ−ＵＴＲＡＮ（Evolved UTRAN）向けの小型基地局である。
【００２０】
以下、利用者宅内、オフィス内などに設置可能な小型基地局を総称して「ホーム基地局」と呼び、ホーム基地局によって形成されるセルを「ホームセル」と呼び、ホームセルに接続する移動局をホーム移動局（ＨＵＥ：Home User Equipment）と呼ぶ。これに対し、マクロセルを形成する基地局をマクロ基地局（ＭｅＮＢ：Macro evolved Node B）、マクロセルに接続する移動局をマクロ移動局（ＭＵＥ：Macro User Equipment）と呼ぶ。
【００２１】
この通信システム２００は、コアネットワーク５と、基地局管理装置８（HeNB Operation and Maintenance server (HeNB OAM server)）と、ホーム基地局１と、マクロ基地局３とを含む。なお、図２では、説明の簡略化のためにホーム基地局１を１つのみ図示しているが、複数のホーム基地局が配置される形態が一般的である。また、ホームセル１１に接続するホーム移動局２及びマクロセル３１に接続するマクロ移動局４も複数台存在する形態が一般的である。
【００２２】
ホーム基地局１は、ホームセル１１を形成し、ホーム移動局２との間で双方向の無線通信を行う。ホーム基地局１は、ＩＰ（Internet Protocol）ネットワーク等のアクセス回線を介してコアネットワーク５に接続されており、ホーム移動局２とコアネットワーク５との間でトラフィックを中継する。
【００２３】
ここで、ホームセル１１は、３ＧＰＰで定義されたハイブリッドセルであり、特定の登録された移動局（登録移動局）のみが接続できるＣＳＧ（Closed Subscriber Group）セルと移動局の制限なく接続できるＯｐｅｎセルとの中間的なセルである。従って、ホーム基地局１は、登録移動局及び非登録移動局の両方に対して通信を行なう。
【００２４】
コアネットワーク５は、管理手段としてのモビリティ管理エンティティ６（ＭＭＥ：Mobility Management Entity)とゲートウェイユニット７（Serving GateWay(S-GW)/Packet DataNetwork GateWay(P-GW)）とを含む。モビリティ管理エンティティ６及びゲートウェイユニット７は、コアネットワーク５とホーム基地局１の間のユーザデータ及び制御データの通信を制御するコアネットワークノードである。
【００２５】
マクロ基地局３は、ホームセル１１に比べてセルサイズの大きいマクロセル３１を形成し、マクロ移動局４との間で双方向の無線通信を行う。マクロ基地局３は、コアネットワーク５に接続されており、マクロ移動局４とコアネットワーク５との間でトラフィックを中継する。基地局管理装置８は、ホーム基地局１に接続するホーム移動局２の属性を管理し、コアネットワーク５を介してホーム基地局１又はホーム移動局２と接続する。
【００２６】
基地局管理装置８は、ハイブリッドセルとしてのホームセル１１を管理する事業者によって制御可能なアプリケーションサーバであり、ホーム移動局２の属性切り替えを許可するか否かを判定する。ハイブリッドセルを管理する事業者は、予め、登録移動局を非登録移動局に比べて優先的に制御するようにモビリティ管理エンティティ６に対して通信パラメータ等を登録している。モビリティ管理エンティティ６は、例えば、登録移動局に対して非登録移動局には提供されない特別なサービス（通信速度の高速化、特定のウェブサイトへのアクセス許可等）を提供するように設定された通信設定情報を有している。そして、モビリティ管理エンティティ６は、ホーム移動局２が登録移動局か非登録移動局かに応じてそのホーム移動局２に提供するサービスを切り替える。従ってここでは、登録移動局を優先移動局、非登録移動局を非優先移動局と言い換えることができる。
【００２７】
ここで、ホーム移動局２と基地局管理装置８との接続はアプリケーションレイヤで行われ、ホーム移動局２とモビリティ管理エンティティ６との接続は、ＮＡＳ（Non Access Stratum）レイヤで行なわれる。さらに、ホーム基地局１とモビリティ管理エンティティ６との接続は、Ｓ１−ＡＰレイヤで行なわれる。つまり、そもそも、基地局管理装置８との間で属性切替許可通知をやり取りするレイヤとモビリティ管理エンティティ６と制御情報をやり取りするレイヤは異なるものである。このため、基地局管理装置８とホーム基地局１及びホーム移動局２との間で属性切替許可通知のやり取りを行なっただけでは、ホーム移動局２の属性が切り替えられたか否かをモビリティ管理エンティティ６は知ることができない。そこで、ホーム移動局２は、基地局管理装置８から通知される属性切替許可通知を受信した場合、基地局管理装置８から属性切替許可通知を受信したレイヤとは異なるレイヤを通じて属性情報更新要求を制御情報としてモビリティ管理エンティティ６に送信する。具体的には、ホーム移動局２は、属性切替許可通知の受信はアプリケーションレイヤを介して行ない、属性情報更新要求のモビリティ管理エンティティ６への送信はＮＡＳレイヤを介して行なう。
【００２８】
図３は、ホーム基地局１の構成を示すブロック図である。図３において、無線通信部１０１は、送信データ処理部１０２から供給される送信シンボル列に対して、リソースエレメントへのマッピング、ＯＦＤＭ信号生成（ＩＤＦＴ：Inverse Discrete Fourier Transform）、周波数変換、信号増幅等の各処理を行ってＨｅＮＢダウンリンク信号を生成する。生成されたＨｅＮＢダウンリンク信号はアンテナから無線送信される。また、無線通信部１０１は、ホーム移動局２から送信されるアップリンク信号を受信し、受信シンボル列を復元する。
【００２９】
送信データ処理部１０２は、ホーム移動局２に向けて送信されるユーザデータを通信部１０４から取得する。送信データ処理部１０２は、これらの送信データに対する誤り訂正符号化、レートマッチング、インタリービング等を行なってトランスポートチャネルを生成する。さらに、送信データ処理部１０２は、トランスポートチャネルのデータ系列に対するスクランブル、変調シンボルマッピングを行って物理チャネル（ＰＢＣＨ（Physical Broadcast Channel）、ＰＤＣＣＨ（Physical Downlink Control Channel）、ＰＤＳＣＨ（Physical Downlink Shared Channel）等）毎の送信シンボル列を生成する。
【００３０】
受信データ処理部１０３は、無線通信部１０１から供給される受信シンボル列から論理チャネル毎の受信データを復元する。得られた受信データに含まれるユーザトラフィックデータと一部の制御データは、通信部１０４を経由してコアネットワーク５に転送される。
【００３１】
また、属性情報管理部１０５は、ホーム移動局２の属性情報を管理し、属性情報に基づいたサービスをホーム移動局２に提供する。属性情報管理部１０５は、ホーム移動局２の属性切り替えが発生した場合、モビリティ管理エンティティ６に属性情報更新要求を通知してもよい。
【００３２】
図４は、ホーム移動局２の構成の一例を示すブロック図である。ホーム移動局２は、ホーム基地局１との無線通信を行うための無線通信部２０１、受信データ処理部２０２、送信データ制御部２０３、属性情報管理部２０４、送信データ処理部２０５及び操作部２０６を含んでいる。受信データ処理部２０２は、ホーム基地局１から受信したデータがホーム移動局２の属性情報である場合は、属性情報管理部２０４に転送する。操作部２０６は、ユーザのマニュアル操作等で属性の切り替え要求を受け付ける。送信データ制御部２０３は、操作部２０６で受け付けた属性切り替え要求又は属性情報管理部２０４からの属性情報更新要求に基づいて、上りデータ送信の開始又は停止を実行する。なお、ホーム移動局２は、ホームセル１１内においてホーム基地局１と接続している移動局であって、その内部構成はマクロ移動局４と全く同様であることは言うまでもない。
【００３３】
図５は、モビリティ管理エンティティ６の構成の一例を示すブロック図である。モビリティ管理エンティティ６は、ホーム基地局１との通信を行うための下位装置通信部５０１、送信データ処理部６０２、受信データ処理部６０３、上位装置通信部６０４、ユーザ情報管理部６０５を含んでいる。受信データ処理部６０３は、ホーム基地局１からの受信データが、ホーム移動局２の属性情報を更新する要求である場合は、その要求をユーザ情報管理部６０５に転送する。上位装置通信部６０４は、上位装置としてのモビリティ管理エンティティ６を介して基地局管理装置８と通信する。ユーザ情報管理部６０５は、移動局情報を管理しており、ホーム移動局２の属性が更新された場合、移動局情報とベアラ設定情報（ＴＥＩＤ：Tunneling End-point ID，ＱＣＩ：QoS Class Indicator等）とを属性情報に基づいて更新する。
【００３４】
図６は、基地局管理装置８の構成の一例を示すブロック図である。基地局管理装置８は、通信部８０１、送信データ処理部８０２、受信データ処理部８０３、属性情報管理部８０４を含んでいる。通信部８０１は、コアネットワーク５を介してモビリティ管理エンティティ６との通信を行う。受信データ処理部８０３は、ホーム基地局１又はホーム移動局２から送信されるデータを受信し、受信したデータがホーム移動局２の属性切り替え要求である場合は、属性情報管理部８０４に転送する。属性情報管理部８０４は、ホーム移動局２の属性切り替えを許可するか否かを判定し、その結果を送信データ処理部８０２からホーム基地局１又はホーム移動局２へ送信する。ホーム移動局２がホーム基地局１に接続した後に、非登録移動局と登録移動局との間で属性が変更されると、ホーム移動局２がモビリティ管理エンティティ６に属性情報更新通知を送信する。
【００３５】
図７は、ホーム移動局２の属性切り替え手順を示すシーケンス図である。ホーム基地局１、モビリティ管理エンティティ６、ゲートウェイユニット７及び基地局管理装置８は、運用中である。非登録移動局の属性を持つホーム移動局２は、ホーム基地局１を介してコアネットワーク５に接続する（Ｓ１０１）。モビリティ管理エンティティ６は、ホーム移動局２の移動局情報（ユーザＩＤ、属性情報等）を保持する（Ｓ１０２）。そして、モビリティ管理エンティティ６は、属性情報に基づいたベアラ設定情報をゲートウェイユニット７に通知し（Ｓ１０３）、さらにホーム基地局１及びホーム移動局２に対しても通知する（Ｓ１０４）。このベアラ設定情報は、モビリティ管理エンティティ６で保持される（Ｓ１０５）。ネットワーク接続を完了し、ベアラ設定情報を通知されたホーム移動局２は、コアネットワーク５に接続中となり、各種装置と通信することが可能となる。
【００３６】
次に、ホーム移動局２において、ユーザのマニュアル操作等で属性の切り替え要求を受け付けると、ホーム移動局２は、属性切り替え要求をホーム基地局１経由で基地局管理装置８に送信する（Ｓ１０６）。基地局管理装置８は、ホーム移動局２の属性切り替えを許可するか否かを判定し（Ｓ１０７）、その結果をホーム移動局２へ返信する（Ｓ１０８）。
【００３７】
ホーム基地局１及びホーム移動局２は、属性切り替え要求が許可された場合、それぞれ自身が持つ属性を更新する（Ｓ１０９）。そして、ホーム移動局２はモビリティ管理エンティティ６に対して新しい属性情報を含む属性情報更新要求を送信する（Ｓ１１０）。属性情報更新要求を受信したモビリティ管理エンティティ６は、保持する移動局情報及びベアラ設定情報を新しい属性情報によって更新する（Ｓ１１１）。本実施形態では、ステップＳ１１０の処理後、ホーム移動局２はデータ通信を継続しない等の理由でネットワーク接続を切断することを想定している。ネットワーク接続を切断した場合であっても、モビリティ管理エンティティ６はホーム移動局２の移動局情報及びベアラ設定情報は保持し続ける。
【００３８】
そのため、ホーム移動局２が再度コアネットワーク５に接続した場合（Ｓ１１２）、モビリティ管理エンティティ６は更新した属性情報に基づいてゲートウェイユニット７に対してベアラ設定情報を通知する（Ｓ１１３）。更に、モビリティ管理エンティティ６は、ホーム基地局１及びホーム移動局２に対してもベアラ設定情報を通知する（Ｓ１１４）。
【００３９】
以上、図７を用いてホーム移動局２の属性を非登録移動局から登録移動局に変更する場合の処理の流れについて説明したが、ホーム移動局２の属性を登録移動局から非登録移動局に変更する場合も、ステップＳ１０９の処理以外は全く同様である。なお、本実施の形態では、属性切り替え要求をホーム移動局２からホーム基地局１を経由して基地局管理装置８に通知しているが、ホーム基地局１から通知してもよい。すなわち、ホーム移動局２とホーム基地局１との間のアプリケーションレイヤで属性切り替えに関わる処理を行い、ホーム基地局１が基地局管理装置８へ属性切り替え要求を送ってもよい。
【００４０】
図８は、モビリティ管理エンティティ６におけるユーザ情報管理部６０５の属性情報更新の動作を示したフローチャートである。モビリティ管理エンティティ６におけるユーザ情報管理部６０５は、ステップＳ２０１において、属性情報更新要求の受信の有無を確認する。属性情報更新要求を受信していない場合は（Ｓ２０１でＮＯ）、ステップＳ２０１に戻る。ユーザ情報管理部６０５が新たな属性情報と共に属性情報更新要求を受信した場合には（Ｓ２０１でＹＥＳ）、受信した新たな属性情報に基づいて、移動局情報及びベアラ設定情報を更新し（Ｓ２０２）、動作を終了する。
【００４１】
図９は、ホーム基地局１における属性情報管理部１０５の属性情報更新の動作を示したフローチャートである。図９において、まずステップＳ３０１において、ホーム移動局２から属性切り替え要求を受信したか否かを判定し、ホーム移動局２から属性切り替え要求を受信するまで待機する。ホーム移動局２から属性切り替え要求が通知された場合、ステップＳ３０２に進み、ホーム基地局１は、属性切り替え要求を基地局管理装置８に送信する。次に、ステップＳ３０３において、属性切り替えが許可されたか否かを判定する。属性切り替えが許可されない場合（Ｓ３０３でＮＯ）、属性切り替えを行わず動作を終了する。ステップＳ３０３において、属性切り替えが許可された場合（Ｓ３０３でＹＥＳ）、ホーム基地局１が保持するホーム移動局２の属性情報を更新し（Ｓ３０４）、動作を終了する。
【００４２】
図１０は、ホーム移動局２の属性情報更新の動作を示したフローチャートである。ホーム移動局２の操作部２０６に対する属性切り替えの操作に応答して動作を開始する。操作部２０６が、属性切り替えを要求する操作をユーザから受け付けた場合（Ｓ４００でＹＥＳ）、ホーム移動局２は、属性切り替え要求をホーム基地局１経由で基地局管理装置８に送信し（Ｓ４０１）、基地局管理装置８からの応答を待つ（Ｓ４０２）。ステップＳ４０２において、属性切り替えが許可されない場合（Ｓ４０２でＮ）、属性切り替えを行わず動作を終了する。ステップＳ４０２において、属性切り替えが許可された場合（Ｓ４０２でＹ）、ホーム移動局２が保持する属性情報を更新し（Ｓ４０３）、属性情報更新要求をモビリティ管理エンティティ６に通知し（Ｓ４０４）、動作を終了する。
【００４３】
図１１は、基地局管理装置８における属性情報管理部８０４の属性情報更新の動作を示したフローチャートであり、属性切り替え要求の受信に応答して動作を開始する（Ｓ５０１）。ステップＳ５０１において、モビリティ管理エンティティ６は、属性切り替え要求の受信の有無を確認する。属性切り替え要求を受信していない場合は（Ｓ５０１でＮ）、ステップＳ５０１に戻る。属性切り替え要求を受信している場合は（Ｓ５０１でＹ）、属性切り替えを許可するか否かを判定する（Ｓ５０２）。ステップＳ５０２において、属性切り替えを許可しない場合（Ｓ５０２でＮ）、不許可の結果をホーム移動局２へ返信し（Ｓ５０４）、ステップＳ５０１に戻る。ステップＳ５０２において、属性切り替えを許可する場合（Ｓ５０２でＹ）、属性情報管理部８０４で管理している属性情報を更新し（Ｓ５０３）、許可の結果をホーム移動局２へ返信し（Ｓ５０４）、ステップＳ５０１に戻る。
【００４４】
以上説明したように本実施形態では、移動局の属性が非登録移動局と登録移動局との間で変更された場合、移動局からモビリティ管理エンティティに属性情報更新を通知する。そのため、モビリティ管理エンティティは、移動局の再認証の手順なしで属性情報を更新することができ、属性に準じたサービスを移動局に提供することができる。
【００４５】
（第３実施形態）
本発明の第３実施形態としての通信システムについて、図１２及び図１３を用いて説明する。上述の第２実施形態では図７のＳ１１０においてホーム移動局２が属性情報更新要求をモビリティ管理エンティティ６に通知したが、本実施形態では、ホーム基地局１が属性情報更新要求をモビリティ管理エンティティ６に通知する。これにより、ホーム移動局２の信号処理量を減少することができる。
【００４６】
図１２は、本実施形態におけるホーム移動局２の属性切り替え手順を示すシーケンス図である。一部の処理については第２実施形態で示した図７と同様であるため、ここでは同じ処理については図７と同じ符号を付して説明を省略する。
【００４７】
本実施形態において第２実施形態との相違点は、ステップＳ６１０における処理である。ステップＳ６１０においては、ホーム基地局１が、ステップＳ１０９で自身が持つ属性情報を更新した後に、モビリティ管理エンティティ６に対して属性情報更新要求を送信する。
【００４８】
モビリティ管理エンティティ６のユーザ情報管理部６０５、ホーム移動局２の属性情報管理部２０４、及び基地局管理装置８の属性情報管理部８０４における属性情報更新の動作は、第２実施形態と同様であるので、ここでは省略する。
【００４９】
以上、図１２を用いてホーム移動局２の属性を非登録移動局から登録移動局に変更する場合の処理の流れについて説明したが、ホーム移動局２の属性を登録移動局から非登録移動局に変更する場合も、ステップＳ１０９の処理以外は全く同様である。
【００５０】
図１３は、ホーム基地局１における属性情報管理部１０５の属性情報更新の動作を示したフローチャートである。ステップＳ３０１からステップＳ３０３までは、第２実施形態と同様であるので省略し、差分のみを説明する。基地局管理装置８から属性切り替えの許可を受信した場合（Ｓ３０３でＹＥＳ）、ホーム基地局１の属性情報管理部１０５が保持するホーム移動局２の属性情報を更新する（Ｓ３０４）。そして次に、ホーム基地局１の受信データ処理部１０３は、コアネットワーク５のモビリティ管理エンティティ６に属性情報更新要求を通知し（Ｓ７０５）、動作を終了する。
【００５１】
ここで、ホーム基地局１は、基地局管理装置８から通知される属性切替許可通知を受信した場合、基地局管理装置８から属性切替許可通知を受信したレイヤとは異なるレイヤを通じて属性情報更新要求を制御情報としてモビリティ管理エンティティ６に送信する。具体的には、ホーム基地局１は、基地局管理装置８からアプリケーションレイヤを介して属性切替許可通知を受信し、モビリティ管理エンティティ６に対してＳ１−ＡＰレイヤを介して属性情報更新要求を送信する。
【００５２】
以上説明したように、本実施形態では、移動局の属性が非登録移動局と登録移動局との間で変更された場合、ホーム基地局１からモビリティ管理エンティティ６に属性情報更新を通知する。このため、モビリティ管理エンティティ６は、移動局の再認証の手順なしで属性情報の更新及び属性に準じたサービスを移動局に提供することができ、さらに移動局の属性情報を通知する負荷を軽減することもできる。
【００５３】
（第４実施形態）
本発明の第４実施形態としての通信システムについて、図１４及び図１５を用いて説明する。上述の第２実施形態では図７のＳ１１０においてホーム移動局２が属性情報更新要求をモビリティ管理エンティティ６に通知したが、本実施形態では、基地局管理装置８が属性情報更新要求をモビリティ管理エンティティ６に通知する。
【００５４】
図１４は、本実施形態におけるホーム移動局２の属性切り替え手順を示すシーケンス図である。ステップＳ１０１からステップＳ１０９、ステップＳ１１１からステップＳ１１４までは、第２実施形態で示した図７と同様であるため説明を省き、差分のみを説明する。基地局管理装置８は、ホーム移動局２の属性切り替えを許可するか否かを判定し（Ｓ１０７）、ホーム移動局２の属性切り替えを許可する場合には、属性情報更新要求をモビリティ管理エンティティ６に通知する（Ｓ８１０）。また、基地局管理装置８は、属性切り替えの判定結果をホーム移動局２へ返信する（Ｓ１０８）。
【００５５】
モビリティ管理エンティティ６のユーザ情報管理部６０５及びホーム基地局１の属性情報管理部１０５の属性情報更新動作は第２実施形態と同様であるので、省略する。
【００５６】
図１５は、基地局管理装置８における属性情報管理部８０４の属性情報更新の動作を示したフローチャートである。ステップＳ５０１からステップＳ５０４までは、第２実施形態と同様であるので省略し、差分のみを説明する。ステップＳ５０２において、属性切り替えを許可しない場合（Ｓ５０２でＮＯ）、不許可の結果をホーム移動局２へ返信する（Ｓ５０４）。ステップＳ５０２において、属性切り替えを許可する場合（Ｓ５０２でＹＥＳ）、基地局管理装置８の属性情報管理部８０４で管理している属性情報を更新し（Ｓ５０３）、モビリティ管理エンティティ６に対して属性情報更新要求を送信する（Ｓ９０６）。そして更に許可の結果をホーム移動局２へ返信し（Ｓ５０４）、ステップＳ５０１に戻る。
【００５７】
ここで、基地局管理装置８は、属性切替許可通知を送信するレイヤとは異なるレイヤを通じて属性情報更新要求を制御情報としてモビリティ管理エンティティ６に送信する。具体的には、基地局管理装置８は、ホーム基地局１及びホーム移動局２に対してはアプリケーションレイヤを介して属性切替許可通知を送信し、モビリティ管理エンティティ６に対してはＳ１−ＡＰレイヤを介して属性情報更新要求を送信する。
【００５８】
以上説明したように、本実施形態では、移動局の属性が非登録移動局と登録移動局との間で変更された場合、基地局管理装置からモビリティ管理エンティティに属性情報更新を通知する。このため、モビリティ管理エンティティは、移動局の再認証の手順なしで属性情報の更新及び属性情報に準じたサービスを移動局に提供することができる。また、ホーム基地局及びホーム移動局はモビリティ管理エンティティに属性情報更新を通知する必要がないのでホーム基地局及びホーム移動局の信号処理量を減少することができる。さらに、ホーム基地局やホーム移動局での属性切り替え処理と同時に、モビリティ管理エンティティで属性情報を更新でき、より迅速に属性更新の効果をホーム移動局に提供できる。
【００５９】
（第５実施形態）
本発明の第５実施形態としての通信システムについて、図１６及び図１７を用いて説明する。上述の第２実施形態では、ステップＳ１１０の処理後、ホーム移動局２はデータ通信を継続しない等の理由でネットワーク接続を切断することを想定し、モビリティ管理エンティティ６はホーム移動局２の移動局情報及びベアラ設定情報を保持し続ける。
【００６０】
図１６は、本実施形態におけるホーム移動局２の属性切り替え手順を示すシーケンス図である。ステップＳ１０１からステップＳ１１０までは、第２実施形態で示した図７と同様であるため説明を省き、差分のみを説明する。
【００６１】
ホーム移動局２は、ステップＳ１０８において属性切り替え要求が許可された場合、自身が持つ属性を更新し（Ｓ１０９）、モビリティ管理エンティティ６に対して属性情報更新要求を送信する（Ｓ１１０）。
【００６２】
本実施形態では、ステップＳ１１０の処理後、ホーム移動局２がネットワーク接続を切断しないことを想定する。そのため、属性情報更新要求を受信したモビリティ管理エンティティ６は、保持する移動局情報及びベアラ設定情報を更新（Ｓ１１１）すると、ホーム移動局２がコアネットワーク５に接続しているか否かを判定する（Ｓ１０１１）。そして、ホーム移動局２がコアネットワーク５に接続中であれば、続けてゲートウェイユニット７へベアラ設定情報の更新を通知し（Ｓ１０１２）、ホーム移動局２に対してもベアラ設定情報の更新を通知する（Ｓ１０１３）。
【００６３】
ホーム移動局２における属性情報管理部２０４の属性情報更新の動作及び基地局管理装置８における属性情報管理部８０４の属性情報更新の動作は、第２実施形態と同様であるので、省略する。
【００６４】
図１７は、モビリティ管理エンティティ６におけるユーザ情報管理部６０５の属性情報更新の動作を示したフローチャートである。ステップＳ２０１とステップＳ２０２は、第２実施形態と同様であるので省略し、差分のみを説明する。ステップＳ２０２において、移動局情報及びベアラ設定情報を更新すると、属性情報を更新したホーム移動局２がコアネットワーク５に接続中か否かを判定する（Ｓ１１０３）。ホーム移動局２がコアネットワーク５に接続中ではない場合（Ｓ１１０３でＮＯ）、モビリティ管理エンティティ６は、属性情報更新の動作を終了する。ホーム移動局２がコアネットワーク５に接続中である場合（Ｓ１１０３でＹＥＳ）、ゲートウェイユニット７及びホーム基地局１へベアラ設定情報の更新を通知し（Ｓ１１０４）、属性情報更新の動作を終了する。
【００６５】
図１８は、ホーム基地局１における属性情報管理部１０５の属性情報更新の動作を示したフローチャートである。ステップＳ３０１からステップＳ３０４は、第２実施形態と同様であるので省略し、差分のみを説明する。ステップＳ３０４において、ホーム基地局１が保持するホーム移動局２の属性情報を更新した場合、ベアラ設定情報の更新通知を受信したか否かを判定する（Ｓ１２０４）。ベアラ設定情報の更新通知を受信していない場合（Ｓ１２０４でＮＯ）、属性情報更新の動作を終了する。ベアラ設定情報の更新通知を受信している場合（Ｓ１２０４でＹＥＳ）、ベアラ設定情報の更新通知に基づいてホーム移動局２へのサービス内容を更新し（Ｓ１２０５）、属性情報更新の動作を終了する。
【００６６】
本実施形態では、ホーム移動局２の属性が非登録移動局から登録移動局に更新された場合、ホーム移動局２がコアネットワーク５に接続したまま、モビリティ管理エンティティ６に属性情報更新を通知する。そのため、モビリティ管理エンティティ６は、ホーム移動局２の再認証の手順なしで属性情報の更新することができる。さらにホーム移動局２をコアネットワーク５に再接続させなくても、属性情報に準じたサービスをホーム移動局２に提供することができる。なお本実施形態では、第２実施形態に準じてホーム移動局２が属性情報更新要求をモビリティ管理エンティティ６に通知しているが、第３及び第４実施形態と同様に、ホーム基地局１や基地局管理装置８が通知しても同様の効果を得ることができるのは明確である。
【００６７】
（第６実施形態）
第２〜第５実施形態では、コアネットワーク５がモビリティ管理エンティティ６とゲートウェイユニット７を有し、ホーム基地局１は、コアネットワーク５を経由して基地局管理装置８と接続する場合について説明した。
【００６８】
しかし、図１９に示すように、ホーム基地局ゲートウェイユニット（ＨｅＮＢ  ＧＷ）９をコアネットワーク５とホーム基地局１とのインターフェースとして設置することも可能である。この場合、ホーム基地局ゲートウェイユニット９は、モビリティ管理エンティティ６及びゲートウェイユニット７の機能の一部を担うことが可能である。つまり第２〜第５実施形態におけるモビリティ管理エンティティ６及びゲートウェイユニット７の動作をホーム基地局ゲートウェイユニット９が行っても同様の効果を得ることができる。
【００６９】
（他の実施形態）
以上、第２〜第６実施形態では、ＥＰＣ／Ｅ−ＵＴＲＡＮの場合について具体的に説明した。しかしながら、これらの実施形態で説明した、属性切り替えに基づく移動局情報及びベアラ設定情報の更新手法は、ＵＭＴＳ等の他の移動通信システムにも当然に適用可能である。第１〜第６実施形態に含まれる別々の特徴を如何様に組み合わせたシステム又は装置も、本発明の範疇に含まれる。また、本発明は、複数の機器から構成されるシステムに適用しても良いし、単体の装置に適用しても良い。
【００７０】
上述した第１〜第６実施形態で述べた各装置（ホーム基地局１、ホーム移動局２、モビリティ管理エンティティ６、ゲートウェイユニット７、ホーム基地局ゲートウェイユニット９など）で行われる処理は、コンピュータシステムを用いて実現することができる。そのコンピュータシステムは、例えばＡＳＩＣ（Application Specific Integrated Circuit）、ＤＳＰ（Digital Signal Processor）、ＭＰＵ（Micro Processing Unit）若しくはＣＰＵ（Central Processing Unit）又はこれらの組み合わせを備えればよい。具体的には、シーケンス図又はフローチャートを用いて上述した各装置の処理手順に関する命令群を含むプログラムをコンピュータシステムに実行させればよい。
【００７１】
さらに、本発明は、上述の実施形態の機能を実現するソフトウェアが、コンピュータシステム或いはコンピュータ装置に直接或いは遠隔から供給される場合にも適用可能である。本発明の機能をコンピュータで実現するために、コンピュータにインストールされるプログラム、或いはそのプログラムを格納した記憶媒体、そのプログラムを送信する通信媒体、そのプログラムをダウンロードさせるＷＷＷサーバも、本発明の範疇に含まれる。ここで、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれ、インターネットも含まれる。
【００７２】
［実施形態の他の表現］
上記実施形態の一部又は全部は、以下の付記のようにも記載されうるが、以下には限られない。
【００７３】
（付記１）
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、
前記優先移動局としての属性を有する移動局に対して前記非優先移動局としての属性を有する移動局よりも優先的なサービスを提供する通信システムであって、
前記判定手段による判定結果に基づいて、前記移動局の属性が、非優先移動局から優先移動局に切り替わる場合、又は、優先移動局から非優先移動局に切り替わる場合、前記管理手段は、前記移動局、前記基地局、及び前記判定手段の少なくとも何れか１つから受信した属性情報更新要求に応じて、前記通信設定情報中の前記属性情報を更新することを特徴とする通信システム。
（付記２）
前記移動局の属性が変更された場合、前記管理手段は、前記判定手段が判定結果を送信するレイヤとは異なるレイヤを通じて、前記移動局、前記基地局、及び前記判定手段の少なくとも何れか１つから属性切替通知を受信することを特徴とする付記１に記載の通信システム。
（付記３）
前記判定手段は、前記移動局からの属性切替要求に応じて、前記属性の切り替えを許可するか否かを判定することを特徴とする付記１又は２に記載の通信システム。
（付記４）
前記基地局は、
前記移動局の属性情報を管理する属性情報管理手段と、
前記判定手段による判定結果を受けて、前記属性情報管理手段に管理された属性情報を更新した後、前記管理手段に対して前記属性情報更新要求を送信する送信手段と、
を含むことを特徴とする付記１、２又は３に記載の通信システム。
（付記５）
前記判定手段は、前記判定結果を前記基地局に送信する前に、前記属性情報更新要求を前記管理手段に送信することを特徴とする付記１乃至４の何れかに記載の通信システム。
（付記６）
前記管理手段は、前記基地局と接続されたコアネットワークの一部を構成するコアネットワークノードであり、
前記属性情報を更新した後、前記移動局が前記コアネットワークと接続中か否かを判定し、接続中であれば、前記移動局に前記属性情報の更新を通知することを特徴とする付記１乃至５の何れかに記載の通信システム。
（付記７）
前記管理手段は、３ＧＰＰ（Third Generation Partnership Project）で定義されるモビリティ管理エンティティ（ＭＭＥ：Mobility Management Entity）であることを特徴とする付記１乃至６の何れかに記載の通信システム。
（付記８）
前記判定手段は、３ＧＰＰ（Third Generation Partnership Project）で定義されるホーム基地局管理装置（HeNB OAM server）であることを特徴とする付記１乃至７の何れかに記載の通信システム。
（付記９）
優先移動局としての属性と非優先移動局としての属性との間で切り替え可能な移動局に対して無線通信を行ない、前記優先移動局としての属性を有する移動局に対して前記非優先移動局としての属性を有する移動局よりも優先的なサービスを提供する基地局であって、
前記移動局と前記基地局との間の通信を制御するため前記移動局の属性に関する属性情報を含む通信設定情報を管理する管理手段及び前記属性の切り替えを許可するか否かを判定する判定手段と通信可能であって、
前記判定手段による判定結果に基づいて、前記移動局の属性が、非優先移動局から優先移動局に切り替わる場合、又は、優先移動局から非優先移動局に切り替わる場合、前記管理手段に対して属性情報更新要求を送信することを特徴とする基地局。
（付記１０）
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムの制御方法であって、
前記判定手段による判定結果に基づいて、前記移動局の属性が、非優先移動局から優先移動局に切り替わる場合、又は、優先移動局から非優先移動局に切り替わる場合、前記管理手段が、前記移動局、前記基地局、及び前記判定手段の少なくとも何れか１つから属性情報更新要求を受信する受信ステップと、
受信した前記属性情報更新要求に応じて、前記管理手段が管理する前記通信設定情報中の前記属性情報を更新する更新ステップと、
を含むことを特徴とする通信システムの制御方法。
（付記１１）
優先移動局としての属性と非優先移動局としての属性との間で切り替え可能な移動局に対して無線通信を行なう基地局と、
前記移動局と前記基地局との間の通信を制御するため前記移動局の属性に関する属性情報を含む通信設定情報を管理する管理手段と、
前記属性の切り替えを許可するか否かを判定する判定手段と、
を含み、前記優先移動局としての属性を有する移動局に対して前記非優先移動局としての属性を有する移動局よりも優先的なサービスを提供する通信システムにおける前記管理手段の制御プログラムであって、
前記判定手段による判定結果に基づいて、前記移動局の属性が、非優先移動局から優先移動局に切り替わる場合、又は、優先移動局から非優先移動局に切り替わる場合、前記移動局、前記基地局、及び前記判定手段の少なくとも何れか１つから属性情報更新要求を受信するステップと、
前記管理手段が前記属性情報更新要求を受信した場合に前記通信設定情報中の前記属性情報を更新するステップと、
をコンピュータに実行させることを特徴とする制御プログラム。
【符号の説明】
【００７４】
１  ホーム基地局（ＨｅＮＢ：Home evolved Node B）
２  ホーム移動局（ＨＵＥ：Home User Equipment）
３  マクロ基地局（ＭｅＮＢ：Macro evolved Node B）
４  マクロ移動局（ＭＵＥ：Macro User Equipment）
５  コアネットワーク
６  モビリティ管理エンティティ（ＭＭＥ：Mobility Management Entity）
７  ゲートウェイユニット（Ｓ−ＧＷ／Ｐ−ＧＷ：Serving Gateway/Packet Data Network Gateway）
８  基地局管理装置（HeNB OAM server）
９  ホーム基地局ゲートウェイユニット（ＨｅＮＢ  ＧＷ：Home eNodeB Gateway）
１１  ホームセル
３１  マクロセル
１０１  無線通信部
１０２  送信データ処理部
１０３  受信データ処理部
１０４  通信部
１０５  属性情報管理部
２０１  無線通信部
２０２  受信データ処理部
２０３  送信データ制御部
２０４  属性情報管理部
２０５  送信データ処理部
２０６  操作部
６０１  下位装置通信部
６０２  送信データ処理部
６０３  受信データ処理部
６０４  上位装置通信部
６０５  ユーザ情報管理部
８０１  通信部
８０２  送信データ処理部
８０３  受信データ処理部
８０４  属性情報管理部
１０００  通信システム
１００１  基地局
１００２  判定部
１００３  管理部
２０００  移動局
【図１】
2011223272.tif 000003
【図２】
2011223272.tif 000004
【図３】
2011223272.tif 000005
【図４】
2011223272.tif 000006
【図５】
2011223272.tif 000007
【図６】
2011223272.tif 000008
【図７】
2011223272.tif 000009
【図８】
2011223272.tif 000010
【図９】
2011223272.tif 000011
【図１０】
2011223272.tif 000012
【図１１】
2011223272.tif 000013
【図１２】
2011223272.tif 000014
【図１３】
2011223272.tif 000015
【図１４】
2011223272.tif 000016
【図１５】
2011223272.tif 000017
【図１６】
2011223272.tif 000018
【図１７】
2011223272.tif 000019
【図１８】
2011223272.tif 000020
【図１９】
2011223272.tif 000021